(57)【要約】【課題】コンクリート躯体の補強工事で、躯体表面の大部分を被覆せず目視確認可能な状態で補強工事を実施したい旨の要望がある。床版下面に補強部材を取付ける場合、落下防止にアンカー固定が必要であったが、アンカーの頭が躯体表面より突出し、素地のままの躯体表面の大部分で多数露出するため、納まりが付かず使用出来ない。また、床版にアンカーを多数打設するとクラックを誘発させ躯体の損傷の進行を助長する。【解決手段】躯体表面に溝を切り補強部材を埋め込んで取付ける際の溝の断面形状を、内部の奥側より外表面側を狭くしたテーパー溝にすることによって、後付けアンカーを使用せず充填材により補強部材を埋め込んで塗り込み、固定し、補強部材の落下・脱落の防止と、さらに、アンカー打設によるクラックの誘発・躯体の損傷進行の助長を回避した補強工法。【選択図】図３
2008057305.tif 000002
【特許請求の範囲】
【請求項１】
本発明は、コンクリート構造躯体などの補強工事において、躯体表面に溝を切り補強部材を埋め込んで取付ける際の溝の断面形状を、内部の奥側より外表面側を狭くしたテーパー溝にすることによって、補強部材固定用の後付けアンカーなどを使用しないで充填材などにより補強部材を埋め込んで塗り込み、固定し、補強部材の落下・脱落を回避したことを特徴とするコンクリート構造躯体の補強工法。
【発明の詳細な説明】
【技術分野】
【０００１】  本発明は、コンクリート構造躯体の補強工法に関する。
【背景技術】
【０００２】  従来は、コンクリート構造躯体などの補強工事において、コンクリート床版下面や柱・壁の側面などに補強部材を取付ける場合、補強部材が落下・脱落しないように固定用の後付けアンカーなどを使用して固定する必要があった。【０００３】
【特許文献１】  特開平９−５９９３４号公報（段落０００２−０００４）
【発明の開示】
【発明が解決しようとする課題】
【０００４】  コンクリート構造躯体などの補強工事において、従来は、補強部材を全面に取り付け、さらに、全面を塗布材などにより被覆する工法が行われて来た。だが、この場合、コンクリート構造躯体自体の経年変化に伴う損傷進行の目視確認が塗布材の被覆により不可能となり、気がついたときは損傷が進行しすぎて手遅れになる事態が発生している。このような事態に対して、躯体自体の損傷進行の目視確認を妨げないように、躯体表面の大部分を被覆しないで素地のまま残して目視確認が可能な状態で補強工事を実施したい旨の要望が公的機関よりなされている。【０００５】  また、従来工法では、コンクリート床版下面や柱・壁の側面に補強部材を取付ける場合、補強部材がその質量により落下・脱落しないように固定用の後付けアンカーなどを使用して固定する必要があった。だが、後付けアンカーなどを使用すると後付けアンカーなどの頭が躯体表面より突出し、被覆しないで素地のまま残して目視確認が可能な状態にしている躯体表面の大部分で多数露出し点在することになり、納まりに不具合が生じるために後付けアンカーなどを使用できないという課題も発生している。【０００６】    橋梁の床版においては、想定以上の重量車両の交通量や過積載車両の通行などにより非常に過酷な環境下におかれ、損傷程度がかなり進行している物件が数多く見受けられ、当然、床版の貫通クラックも非常に多く発生している。このような状況下において、後付けアンカーを多数打設することはクラックを誘発させることに繋がり躯体の損傷の進行を助長する要因になるので避けなければならない。【０００７】  さらに、コンクリート橋脚・柱・壁などの補強工事においては、河積阻害や建築限界などに対応するために、増厚量を極力抑制し薄層にする必要性が求められている。
本発明は、このような課題を解消するためになされたものである。
【課題を解決するための手段】
【０００８】  コンクリート床版下面や柱・壁の側面などの補強工事において、躯体表面に溝を切り、網状補強部材を埋め込んで取付ける際の溝の断面形状を、内部の奥側より外表面側を狭くしたテーパー溝にすることによって、補強部材固定用の後付けアンカーなどを使用しないで充填材などにより網状補強部材を埋め込んで塗り込み、固定し、網状補強部材の落下・脱落を防止することを可能とした。
【発明の効果】
【０００９】  橋梁のコンクリート床版などの補強工事において、後付けアンカーを打設しないで済むということは、躯体表面を被覆しないで素地のまま残して目視確認が可能な状態にしている躯体表面の大部分において、多数の後付けアンカーなどの頭が躯体表面より突出・露出し点在することを回避し、納まりに不具合が生じなくなる。また、床版・躯体にクラックを誘発させ損傷の進行を助長する要因の回避を可能とする。【００１０】  また、コンクリート橋脚・柱・壁などの補強工事においては、河積阻害や建築限界などに対応するために、増厚量を極力抑制し薄層にする必要性が求められる場合の対策として、主筋と帯筋も併せて溝に埋めると増厚量はかぶりの厚みのみとなり、コンクリート巻き立てと比較すると大幅に減少でき、主筋のみ埋める工法よりさらに帯筋の最外径分の厚みを薄く出来る。【００１１】躯体表面にテーパー溝を切り込み充填材などにより、棒状補強部材を埋め込んで塗り込みすることによって、前述のように補強部材の落下・脱落し難い要素であるテーパー溝の形状と充填材などの、コンクリートより粘って壊れ難い靭性との相乗効果により、耐震補強の重要事項である、帯筋・棒状補強部材などのはらみ出しの抑制効果に寄与する。
【発明を実施するための最良の形態】
【実施例１】
【００１２】  橋梁のコンクリート床版などの補強工事においては、工程▲１▼躯体表面１ｂに溝の断面形状を、内部の奥側より外表面側を狭くしたテーパー溝２ａを切り込み、清掃・洗浄し乾燥後、工程▲２▼充填材３を下塗り乾燥後、溝の半分程度の深さまで先に充填し、直後・生乾きのうちに、工程▲３▼網状補強部材４ａを溝にあてがい、微震動を掛けて溝の中に埋め込み、工程▲４▼網状補強部材４ａと溝の間からバリ出た充填材３を均して塗り込み、既設躯体表面１ｂより出ないように合せる。【００１３】  溝と補強部材の芯を合せるときは、溝に補強部材を規定の深さまで埋めるときに、溝と補強部材の隙間両側に適当な厚みのスペーサーを仮に挿み位置決めをする。
【実施例２】
【００１４】  橋梁のコンクリート橋脚などの補強工事においては、工程▲１▼躯体表面１ｂに溝の断面形状を、内部の奥側より外表面側を狭くしたテーパー溝２ｂや２ｃを切り込み、清掃・洗浄し乾燥後、工程▲２▼充填材３を下塗り乾燥後、溝の半分程度の深さまで先に充填し、直後・生乾きのうちに、工程▲３▼主筋・棒状補強部材４ｂを溝にあてがい、微震動を掛けて溝の中に埋め込み、工程▲４▼主筋・棒状補強部材４ｂと溝の間からバリ出た充填材３を均して、規定の深さに合せて塗り込む。【００１５】  工程▲５▼充填材３を下塗り乾燥後、溝の半分程度の深さまで先に充填し、直後・生乾きのうちに、工程▲６▼帯筋・棒状補強部材４ｃを溝にあてがい、微震動を掛けて溝の中に埋め込み、工程▲７▼帯筋・棒状補強部材４ｃと溝の間からバリ出た充填材３を均して塗り込み躯体表面１ｂに合せる。工程▲８▼躯体表面１ｂに被覆層ポリマーセメントモルタル増厚材５を規定のかぶり厚みで塗布・被覆し、工程▲９▼現場環境に適合した仕上げ塗装材６を塗布する。
【図面の簡単な説明】
【００１６】
【図１】床版断面図（被覆無）・網状（フラット・円形）補強部材
【図２】床版断面図（被覆無）・網状（フラット・矩形）補強部材
【図３】床版軸直角方向断面図（被覆有）・網状（二段重ね・円形）補強部材
【図４】床版軸方向断面図（被覆有）・網状（二段重ね・円形）補強部材
【図５】床版平面図・網状補強部材
【図６】橋脚・壁・柱軸直角方向断面図（被覆有）・棒状（網状・二段重ね・円形）補強部材
【図７】橋脚・壁・柱軸方向断面図（被覆有）・棒状（網状・二段重ね・円形）補強部材
【図８】橋脚・壁・柱正面図・棒状（網状）補強部材
【符号の説明】
【００１７】  １ａ  コンクリート構造躯体
１ｂ  コンクリート構造躯体表面
２ａ  軸・軸直角方向テーパー溝
２ｂ  軸方向テーパー溝
２ｃ  軸直角方向テーパー溝
３    充填材
４ａ  軸・軸直角方向網状補強部材
４ｂ  軸方向棒状（網状）補強部材
４ｃ  軸直角方向棒状（網状）補強部材
５    被覆層ポリマーセメントモルタル増厚材
６    仕上げ塗装材
【図１】
2008057305.tif 000003
【図２】
2008057305.tif 000004
【図３】
2008057305.tif 000005
【図４】
2008057305.tif 000006
【図５】
2008057305.tif 000007
【図６】
2008057305.tif 000008
【図７】
2008057305.tif 000009
【図８】
2008057305.tif 000010